(57)【要約】  本願は、リスク識別方法、リスク識別装置、並びにクラウドリスク識別装置及びシステムを開示する。この方法は、サービスデータを収集した後、エンドユーザデバイスにより、格納されているリスク識別規則に基づき、サービスデータを生成するサービス処理リクエストに対してリスク識別を実行するステップと、リスク識別結果を特定できない場合、クラウドリスク識別デバイスをトリガして、サービスデータを生成するサービス処理リクエストに対してリスク識別を実行させるステップとを含む。本願の実施において、分散型リスク識別アーキテクチャが提供される。これは、比較的低いリスク管理効率の原因となる、リスク管理サーバが受信したデータを処理するのに比較的長時間を要するという従来技術の問題を効果的に緩和し；このタイプの多層リスク識別を通じてリスク管理サーバの操作負荷を軽減し；システムリソースのオーバーヘッドを抑え；更にまた、エンドユーザデバイス上でのリスク識別を完了することで、リスク識別の時間を短縮し、ユーザエクスペリエンスを向上させる。
2019523501.tif 000002
【特許請求の範囲】
【請求項１】
リスク識別方法であって、エンドユーザデバイスに適用され：
サービスデータを収集するステップであって、前記サービスデータはサービス処理リクエストに基づき生成される、ステップと；
前記サービスデータを参照して、格納されているリスク識別規則又は格納されているリスク識別モデルに基づき、前記サービス処理リクエストに対してリスク識別を実行するステップと；
リスク識別結果を特定できない場合に、前記サービスデータを備えるリスク識別リクエストを、クラウドリスク識別デバイスへ送信するステップであって、前記リスク識別リクエストは、前記サービス処理リクエストに対してリスク識別を実行するよう前記クラウドリスク識別デバイスに要求するために用いられる、ステップと；を備える、
リスク識別方法。
【請求項２】
前記リスク識別結果を特定できる場合に、特定されたリスク識別結果と前記サービスデータとを、前記クラウドリスク識別デバイスに同期させるステップを更に備える、
請求項１に記載のリスク識別方法。
【請求項３】
前記クラウドリスク識別デバイスにより送信されるリスク識別結果を受信するステップと；
前記受信されたリスク識別結果に基づき前記サービス処理リクエストに対してリスク管理を実行するステップと；を更に備える、
請求項１に記載のリスク識別方法。
【請求項４】
前記サービスデータを参照して、格納されているリスク識別規則又は格納されているリスク識別モデルに基づき、前記サービス処理リクエストに対してリスク識別を実行する前記ステップは：
前記サービスデータを分析するステップと；
前記格納されているリスク識別規則と分析結果とに基づき、前記サービス処理リクエストに対してリスク識別を実行するステップと；を備える、
請求項１乃至請求項３のいずれか１項に記載のリスク識別方法。
【請求項５】
リスク識別方法であって、クラウドリスク識別デバイスに格納されているリスク識別規則は、エンドユーザデバイスに格納されているリスク識別規則とは異なり：
前記エンドユーザデバイスにより送信されるリスク識別リクエストを、前記クラウドリスク識別デバイスにより受信するステップであって、前記リスク識別リクエストはサービスデータを備える、ステップと；
前記サービスデータを参照して、格納されているリスク識別規則又は格納されているリスク識別モデルに基づき前記サービスデータを生成するサービス処理リクエストに対して、リスク識別を、前記クラウドリスク識別デバイスにより実行するステップと；を備える、
リスク識別方法。
【請求項６】
前記エンドユーザデバイスが前記リスク識別結果に基づき前記サービス処理リクエストに対してリスク管理を実行するように、リスク識別結果を、前記クラウドリスク識別デバイスにより前記エンドユーザデバイスへ送信するステップを更に備える、
請求項５に記載のリスク識別方法。
【請求項７】
前記サービスデータを参照して、格納されているリスク識別規則又は格納されているリスク識別モデルに基づき前記サービスデータを生成するサービス処理リクエストに対して、リスク識別を、前記クラウドリスク識別デバイスにより実行する前記ステップは：
前記サービスデータを、前記クラウドリスク識別デバイスにより分析するステップと；
分析結果を参照して、前記格納されているリスク識別規則又は前記格納されているリスク識別モデルに基づき前記サービスデータを生成する前記サービス処理リクエストに対して、リスク識別を、前記クラウドリスク識別デバイスにより実行するステップと；を備える、
請求項５又は請求項６に記載のリスク識別方法。
【請求項８】
エンドユーザデバイスに適用されるリスク識別装置であって：
サービスデータを収集するよう構成された収集ユニットであって、前記サービスデータはサービス処理リクエストに基づき生成される、前記収集ユニットと；
前記サービスデータを参照して、格納されているリスク識別規則又は格納されているリスク識別モデルに基づき、前記サービス処理リクエストに対してリスク識別を実行するよう構成されたリスク識別ユニットと；
リスク識別結果を特定できない場合に、前記サービスデータを備えるリスク識別リクエストをクラウドリスク識別デバイスへ送信するよう構成された送信ユニットであって、前記リスク識別リクエストは、前記サービス処理リクエストに対してリスク識別を実行するよう前記クラウドリスク識別デバイスに要求するために用いられる、前記送信ユニットと；を備える、
リスク識別装置。
【請求項９】
同期ユニットを更に備え、
前記同期ユニットは、前記リスク識別ユニットが前記リスク識別結果を特定できる場合に、特定されたリスク識別結果と前記サービスデータとを前記クラウドリスク識別デバイスに同期させるよう構成される、
請求項８に記載のリスク識別装置。
【請求項１０】
管理ユニットを更に備え、
前記管理ユニットは、前記クラウドリスク識別デバイスにより送信されるリスク識別結果を受信し；
前記受信されたリスク識別結果に基づき前記サービス処理リクエストに対してリスク管理を実行するよう構成される、
請求項８に記載のリスク識別装置。
【請求項１１】
前記リスク識別ユニットは、前記サービスデータを参照して、前記格納されているリスク識別規則又は前記格納されているリスク識別モデルに基づき、前記サービス処理リクエストに対してリスク識別を実行し：
前記サービスデータを分析することと；
分析結果を参照して、前記格納されているリスク識別規則又は前記格納されているリスク識別モデルに基づき、前記サービス処理リクエストに対してリスク識別を実行することと；を備える、
請求項８乃至請求項１０のいずれか１項に記載のリスク識別装置。
【請求項１２】
クラウドリスク識別装置であって、クラウドリスク識別装置に格納されているリスク識別規則は、エンドユーザデバイスに格納されているリスク識別規則とは異なり：
前記エンドユーザデバイスにより送信されるリスク識別リクエストを受信するよう構成された受信ユニットであって、前記リスク識別リクエストはサービスデータを備える、前記受信ユニットと；
前記サービスデータを参照して、格納されているリスク識別規則又は格納されているリスク識別モデルに基づき、前記サービスデータを生成するサービス処理リクエストに対してリスク識別を実行するよう構成されたリスク識別ユニットと；を備える、
クラウドリスク識別装置。
【請求項１３】
送信ユニットを更に備え、
前記送信ユニットは、前記エンドユーザデバイスが前記リスク識別結果に基づき前記サービス処理リクエストに対してリスク管理を実行するように、リスク識別結果を前記エンドユーザデバイスへ送信するよう構成される、
請求項１２に記載のクラウドリスク識別装置。
【請求項１４】
前記リスク識別ユニットは、前記サービスデータを参照して、前記格納されているリスク識別規則又は前記格納されているリスク識別モデルに基づき、前記サービスデータを生成する前記サービス処理リクエストに対してリスク識別を実行し：
前記サービスデータを分析することと；
分析結果を参照して、前記格納されているリスク識別規則又は前記格納されているリスク識別モデルに基づき、前記サービスデータを生成する前記サービス処理リクエストに対してリスク識別を実行することと；を備える、
請求項１２又は請求項１３に記載のクラウドリスク識別装置。
【請求項１５】
リスク識別システムであって、前記リスク識別システムは、エンドユーザデバイスとクラウドリスク識別デバイスとを備え、
前記エンドユーザデバイスは、サービス処理リクエストに基づき生成されるサービスデータを収集し；前記サービスデータを参照して、格納されているリスク識別規則又は格納されているリスク識別モデルに基づき、前記サービス処理リクエストに対してリスク識別を実行し；リスク識別結果を特定できない場合に、前記サービスデータを備えるリスク識別リクエストを前記クラウドリスク識別デバイスへ送信し；
前記クラウドリスク識別デバイスは、前記エンドユーザデバイスにより送信される前記リスク識別リクエストを受信し、前記サービスデータを参照して、前記格納されているリスク識別規則又は前記格納されているリスク識別モデルに基づき、前記サービスデータを生成する前記サービス処理リクエストに対してリスク識別を実行する、
リスク識別システム。
【請求項１６】
インテリジェントプラットフォームデバイスを更に備え、
前記インテリジェントプラットフォームデバイスは、前記エンドユーザデバイスの稼働状態及び前記クラウドリスク識別デバイスの稼働状態をモニタし、リスク識別規則を前記エンドユーザデバイスと前記クラウドリスク識別デバイスに別々にプッシュする、
請求項１５に記載のリスク識別システム。
【発明の詳細な説明】
【技術分野】
【０００１】
本願はインターネット情報処理技術の分野に関し、特に、リスク識別方法、リスク識別装置、クラウドリスク識別装置及びシステムに関する。
【背景技術】
【０００２】
インターネット技術の発達に伴い、様々な電子商取引プラットフォームが生まれている。これらの電子商取引プラットフォームの中に、インターネット金融サービスプラットフォームがある。インターネット金融サービスプラットフォームにとって、リスクをどう効果的に管理するかが、優先すべき重要な問題である。
【０００３】
実際のアプリケーション（適用）においては、インターネット金融サービスプラットフォームにおけるサービス、製品、及び取引が益々複雑化するのに伴い、リスクを管理することが一層困難になっている。現在、効果的なリスク管理方法は、下記の通りである。
【０００４】
インターネット金融サービスプラットフォームのフロントエンドデバイスは、様々なタイプのデータを収集する。ここで、様々なタイプのデータとしては、デバイスデータ、環境データ、挙動データなどが挙げられる。フロントエンドデバイスは、収集した様々なタイプのデータを、ネットワークを用いることによりリスク管理サーバに伝送する。リスク管理サーバは、受信した様々なタイプのデータを処理又は計算し、クライアントデバイスのサービス挙動に対してリスク識別及び処理を実行し、次いで、リスク識別結果をフロントエンドデバイスに返信して、リスク管理を効果的に実施する。
【０００５】
しかし、ある調査によると、フロントエンドデバイスが様々なタイプのデータを収集した後、収集したデータが比較的大量であるため、システムのネットワーク伝送装置、バックグラウンドコンピューティングリソース、データ格納装置などに非常に厳しい要件を課すことになる。結果として、リスク管理サーバがフロントエンドデバイスによって送信される大量のデータを受信した後、データを計算するのに比較的長時間を要し、リスク管理効率が低下する。
【発明の概要】
【０００６】
この点に鑑み、本願の実施は、比較的低いリスク管理効率の原因となる、リスク管理サーバが受信したデータを処理するのに比較的長時間を要するという従来技術上の問題を緩和するために、リスク識別方法、リスク識別装置、並びにクラウドリスク識別装置及びシステムを提供する。
【０００７】
本願の実施はリスク識別方法を提供し、この方法は：サービスデータを収集するステップであって、前記サービスデータはサービス処理リクエストに基づき生成される、ステップと；前記サービスデータを参照して、格納されているリスク識別規則又は格納されているリスク識別モデルに基づき、前記サービス処理リクエストに対してリスク識別を実行するステップと；リスク識別結果を特定できない場合に、前記サービスデータを備えるリスク識別リクエストを、クラウドリスク識別デバイスへ送信するステップであって、前記リスク識別リクエストは、前記サービスデータを生成する前記サービス処理リクエストに対してリスク識別を実行するよう前記クラウドリスク識別デバイスに要求するために用いられる、ステップと；を含む。
【０００８】
本発明の実施は、リスク識別方法を提供し、クラウドリスク識別デバイスに格納されているリスク識別規則は、エンドユーザデバイスに格納されているリスク識別規則とは異なり：前記エンドユーザデバイスにより送信されるリスク識別リクエストを、前記クラウドリスク識別デバイスにより受信するステップであって、前記リスク識別リクエストはサービスデータを備える、ステップと；前記サービスデータを参照して、格納されているリスク識別規則又は格納されているリスク識別モデルに基づき前記サービスデータを生成するサービス処理リクエストに対して、リスク識別を、前記クラウドリスク識別デバイスにより実行するステップと；を含む。
【０００９】
本発明の実施は、エンドユーザデバイスに適用されるリスク識別装置を提供し、この装置は：サービスデータを収集するよう構成された収集ユニットであって、前記サービスデータはサービス処理リクエストに基づき生成される、前記収集ユニットと；前記サービスデータを参照して、格納されているリスク識別規則又は格納されているリスク識別モデルに基づき、前記サービス処理リクエストに対してリスク識別を実行するよう構成されたリスク識別ユニットと；リスク識別結果を特定できない場合に、前記サービスデータを備えるリスク識別リクエストをクラウドリスク識別デバイスへ送信するよう構成された送信ユニットであって、前記リスク識別リクエストは、前記サービスデータを生成する前記サービス処理リクエストに対してリスク識別を実行するよう前記クラウドリスク識別デバイスに要求するために用いられる、前記送信ユニットと；を含む。
【００１０】
本発明の実施は、クラウドリスク識別装置を提供し、クラウドリスク識別装置に格納されているリスク識別規則は、エンドユーザデバイスに格納されているリスク識別規則とは異なり：前記エンドユーザデバイスにより送信されるリスク識別リクエストを受信するよう構成された受信ユニットであって、前記リスク識別リクエストはサービスデータを含む、前記受信ユニットと；前記サービスデータを参照して、格納されているリスク識別規則又は格納されているリスク識別モデルに基づき、前記サービスデータを生成するサービス処理リクエストに対してリスク識別を実行するよう構成されたリスク識別ユニットと；を含む。
【００１１】
本発明の実施は、リスク識別システムを提供し、前記リスク識別システムは、エンドユーザデバイスとクラウドリスク識別デバイスとを含む。前記エンドユーザデバイスは、サービス処理リクエストに基づき生成されるサービスデータを収集し；前記サービスデータを参照して、格納されているリスク識別規則又は格納されているリスク識別モデルに基づき、前記サービス処理リクエストに対してリスク識別を実行し；リスク識別結果を特定できない場合に、前記サービスデータを備えるリスク識別リクエストを前記クラウドリスク識別デバイスへ送信する。前記クラウドリスク識別デバイスは、前記エンドユーザデバイスにより送信される前記リスク識別リクエストを受信し、前記格納されているリスク識別規則又は前記格納されているリスク識別モデルに基づき、前記サービスデータを生成する前記サービス処理リクエストに対してリスク識別を実行する。
【００１２】
本願の実施で用いられる前述の技術的解決策の少なくとも１つは、下記の有益な効果を奏することができる。
【００１３】
サービスデータを収集した後、エンドユーザデバイスは、格納されているリスク識別規則又は格納されているリスク識別モデルに基づき、サービスデータを生成するサービス処理リクエストに対してリスク識別を実行し、リスク識別結果を特定できない場合、クラウドリスク識別デバイスをトリガして、サービスデータを生成するサービス処理リクエストに対してリスク識別を実行させる。本願の実施において、分散型リスク識別アーキテクチャが提供される。これは、比較的低いリスク管理効率の原因となる、リスク管理サーバが受信したデータを処理するのに比較的長時間を要するという従来技術上の問題を効果的に緩和し；このタイプの多層リスク識別を通じてリスク管理サーバの操作負荷を軽減し；システムリソースのオーバーヘッドを抑え；更にまた、エンドユーザデバイス上でのリスク識別を完了することで、リスク識別の時間を短縮しユーザエクスペリエンスを向上させる。
【図面の簡単な説明】
【００１４】
本明細書に記載の添付の図面は、本願のさらなる理解を提供することを意図しており、本願の一部を構成する。本願の例示的な実施及びその説明は、本願を説明することを意図しており、本願に対する適切でない限定を構成するものではない。
【００１５】
【図１】図１は、本願の一実施に係る、リスク識別方法を示す概略フローチャートである。
【００１６】
【図２】図２は、本願の一実施に係る、リスク識別方法を示す概略フローチャートである。
【００１７】
【図３】図３は、本願の一実施に係る、リスク識別方法を示す概略フローチャートである。
【００１８】
【図４】図４は、本願の一実施に係る、リスク識別方法のシナリオを示す概略図である。
【００１９】
【図５】図５は、本願の一実施に係る、エンドユーザデバイスに適用されるリスク識別装置を示す概略構造図である。
【００２０】
【図６】図６は、本願の一実施に係る、エンドユーザデバイスに適用されるリスク識別装置を示す概略構造図である。
【００２１】
【図７】図７は、本願の一実施に係る、クラウドリスク識別装置を示す概略構造図である。
【００２２】
【図８】図８は、本願の一実施に係る、クラウドリスク識別装置を示す概略構造図である。
【００２３】
【図９】図９は、本願の一実施に係る、リスク識別システムを示す概略構造図である。
【００２４】
【図１０】図１０は、本願の一実施に係る、インテリジェントプラットフォームデバイスを示す概略構造図である。
【発明を実施するための形態】
【００２５】
本願の目的を達成するため、本願の実施は、リスク識別方法、リスク識別装置、並びにクラウドリスク識別装置及びシステムを開示する。サービスデータを収集した後、エンドユーザデバイスは、格納されているリスク識別規則（ルール）又は格納されているリスク識別モデルに基づき、サービスデータを生成するサービス処理リクエストに対してリスク識別を実行し、リスク識別結果を特定できない場合、クラウドリスク識別デバイスをトリガして、サービスデータを生成するサービス処理リクエストに対してリスク識別を実行させる。本願の実施において、分散型リスク識別アーキテクチャが提供される。これは、比較的低いリスク管理効率の原因となる、リスク管理サーバが受信したデータを処理するのに比較的長時間を要するという従来技術の問題を効果的に緩和し；このタイプの多層リスク識別を通じてリスク管理サーバの操作負荷を軽減し；システムリソースのオーバーヘッドを抑え；更にまた、エンドユーザデバイス上でのリスク識別を完了することで、リスク識別の時間を短縮しユーザエクスペリエンス（体験）を向上させる。
【００２６】
本願の実施に記載されるクラウドリスク識別装置は、クラウドベースのリスク識別デバイスとすることができる、又は、サーバのリスク管理システムとすることができることは特に留意すべき事項である。本明細書において、実施はこれに限定されない。
【００２７】
本願の実施に記載されるリスク識別装置は、クライアントデバイスベースのリスク識別エンドユーザデバイスとすることができ、クライアントデバイスのアプリケーションソフトウェアに組み入れることができ、様々なオペレーティングシステムの要件をサポートすることができる。本明細書において、実施はこれに限定されない。
【００２８】
本明細書におけるリスク識別装置は、モバイルエンドユーザデバイスに搭載できる、又は、ＰＣデバイスに搭載できる。本願の実施に係る、エンドユーザデバイスに適用されるリスク識別方法は、モバイルエンドユーザデバイスにインストールされたＡＰＰクライアントソフトウェアにも適用できる、又は、ＰＣデバイス中の管理要素とすることができる。本明細書において、実施はこれに限定されない。
【００２９】
クラウドリスク識別デバイスに格納されているリスク識別規則と、エンドユーザデバイスに格納されているリスク識別規則との間には違いがあることは特に留意すべき事項である。
【００３０】
本願の具体的実施と、それに対応する添付図面を参照して、本願における技術的解決策を、以下、明確かつ包括的に述べる。明らかに、記載の実施は本願の実施の一部に過ぎず、全てではない。当業者が、創造的活動を行うことなく本願の実施に基づき想到する他の実施は、本願の保護範囲に含まれるものとする。
【００３１】
本願の実施において提供される技術的解決策を、添付図面を参照して、以下、詳細に述べる。
【００３２】
実施１
【００３３】
図１は、本願の一実施に係る、リスク識別方法を示す概略フローチャートである。この方法については、下記のように述べることができる。エンドユーザデバイスが本願のこの実施を実行できる。
【００３４】
ステップ１０１：サービスデータを収集する。ここで、サービスデータは、サービス処理リクエストに基づき生成される。
【００３５】
本願のこの実施において、エンドユーザデバイスは、ユーザにより送信されるサービス処理リクエストを受信し、サービス処理リクエストを受信すると、リスク識別操作を開始する。これにより、サービス処理中にタイムリーなリスク管理を確実に行える。
【００３６】
リスク識別操作を開始する際、エンドユーザデバイスは、リアルタイムに、又は定期的にサービス処理リクエストにより生成されるサービスデータを使用する。ここでのサービスデータは、デバイスデータ（例えば、デバイス識別子及びデバイスが稼働しているときに生成されるデータ）、環境データ、ユーザによるサービス実行の過程で生成されるユーザ行動データ、サービス実行工程において生成される取引データなどが挙げられるが、限定されない。
【００３７】
ステップ１０２：サービスデータを参照して、格納されているリスク識別規則又は格納されているリスク識別モデルに基づき、サービス処理リクエストに対してリスク識別を実行する。
【００３８】
本願のこの実施において、サービスデータを収集した後、エンドユーザデバイスは、サービスデータを分析し、分析結果を参照して、格納されているリスク識別規則又は格納されているリスク識別モデルに基づき、サービス処理リクエストに対してリスク識別を実行する。
【００３９】
具体的には、エンドユーザデバイスは、収集したサービスデータに基づき、サービスデータに対応するサービス指標（インジケータ）を特定する。本願のこの実施に記載されるサービス指標としては、所定の時間ウィンドウにおけるサービスデータのカウント値、総計値、開始値、終了値、差分値、平均値、標準偏差、最大値、及び／又は最小値を挙げることができるが、これらに限定されない。エンドユーザデバイスは、特定されたサービス指標とサービスデータとに基づき、サービス処理リクエストの発生頻度の特性、及び／又はエンドユーザデバイスの稼働環境特性を分析する。エンドユーザデバイスは、規則エンジン及び／又はモデルエンジンをトリガして、特定されたサービス指標に基づき論理分析及び／又は確率分析を実行させて分析結果を取得させる。
【００４０】
エンドユーザデバイスは、分析結果に基づき、サービス処理リクエストのリスク識別結果を特定する。
【００４１】
本願のこの実施で記載される、エンドユーザデバイスに格納されているリスク識別規則は、バックグラウンドサーバにより配信できる、又は、バックグラウンドサーバから要求（リクエスト）することができる。実施はこれに限定されない。加えて、本願のこの実施に記載されるリスク識別解決策は、インテリジェントプラットフォームデバイスを含むことができる。インテリジェントプラットフォームデバイスは、リスク識別規則、リスク管理ポリシー等を格納し、エンドユーザデバイスは、インテリジェントプラットフォームデバイスからリスク識別規則を取得することもできる。実施はこれには特に限定されない。
【００４２】
本願のこの実施で記載されるインテリジェントプラットフォームデバイスと従来技術に記載されるバックグラウンドサーバとを、同じデバイスとすることも、異なるデバイスとすることもできることは特に留意すべき事項である。インテリジェントプラットフォームデバイスとバックグラウンドサーバとが異なるデバイスである場合、その違いは、本願のこの実施に記載されるインテリジェントプラットフォームデバイスを、統合された開発機能及び維持機能を有するサービスプラットフォームとすることができ、変数、規則、モデルなどを開発及び維持するために使用できる、という点にある。インテリジェントプラットフォームデバイスの機能は、バックグラウンドサーバの機能よりも包括的である。
【００４３】
本願のこの実施において、エンドユーザデバイスは、エンドユーザデバイスによりサポートされた処理方法を用いることによりサービス処理リクエストに対してリスク識別を実行できることは特に留意すべき事項である。具体的な処理方法は特に限定されない。
【００４４】
ステップ１０３：ステップ１０２の操作結果を特定する。リスク識別結果を特定できない場合、ステップ１０４を実行し；リスク識別結果を特定できる場合、ステップ１０５及び／又はステップ１０６を実行する。
【００４５】
本願のこの実施において、エンドユーザデバイスのコンピューティング能力などの条件が限定されているため、又は、リスク識別規則の一部がエンドユーザデバイスに適していないため、又は、他の理由により、ステップ１０２においてエンドユーザデバイスがサービス処理リクエストに対してリスク識別を実行する場合には、下記の２つのケースがある。
【００４６】
ケース１：リスク識別結果を特定できる。ケース２：リスク識別結果を特定できない。
【００４７】
サービスデータ又は分析結果が規則エンジン及び／又はモデルエンジンに入力される際、出力結果が明確な結果（例えば、Ａｃｃｅｐｔ（容認）又はＲｅｊｅｃｔ（拒絶））である場合、それは、リスク識別結果を特定できることを意味する。
【００４８】
出力結果が不明確な結果（例えば、Ｕｎｋｎｏｗｎ（未知）又はＮＵＬＬ（空値））である場合、それは、リスク識別結果を特定できないことを意味する。
【００４９】
本願のこの実施に記載される明確な結果とは、リスク管理の次のステップに対し明確な指示を提供できる結果であることが分かる。
【００５０】
したがって、異なる入力結果に対して、エンドユーザデバイスは、異なる操作の実行をトリガする。
【００５１】
ステップ１０４：リスク識別結果を特定できない場合、サービスデータを含むリスク識別リクエストをクラウドリスク識別デバイスへ送信する。
【００５２】
リスク識別リクエストは、サービスデータを生成するサービス処理リクエストに対してリスク識別を実行するようクラウドリスク識別デバイスに要求するために用いられる。
【００５３】
本願のこの実施におけるステップ１０２においてリスク識別結果を特定できない場合、それは、エンドユーザデバイスが、発生するリスク挙動を正確に識別できないことを意味する。クラウドリスク識別デバイスは、リスク挙動を特定する必要がある。この場合、エンドユーザデバイスは、リスク識別リクエストをクラウドリスク識別デバイスへ送信する必要があり、収集したサービスデータをリスク識別リクエストに追加する。
【００５４】
ステップ１０５：リスク識別結果を特定できる場合、特定されたリスク識別結果とサービスデータとを、クラウドリスク識別デバイスに同期させる。
【００５５】
本願のこの実施において、ステップ１０５と、ステップ１０６に記載のケースとは同時に実行してもよく、順次実行してもよい。ここで、実施はこれに限定されない。
【００５６】
リスク識別結果とサービスデータとがクラウドリスク識別デバイスに同期している時に、サービスデータ中のキーデータを選択し、これをクラウドリスク識別デバイスへ送信してもよいことは特に留意すべき事項である。このようにして、同期を実施でき、比較的少量の伝送データを確保でき、データ伝送速度を向上させることができ、そしてシステムリソースの消費を抑えることができる。
【００５７】
ステップ１０６：特定されたリスク識別結果に基づき、サービス処理リクエストに対してリスク管理を実行する。
【００５８】
本願のこの実施において、ステップ１０６の操作は、下記の２つのケースに基づいて実行できる。
【００５９】
ケース１：ステップ１０２において、リスク識別結果を特定できる、すなわち、明確なリスク識別結果が取得される。
【００６０】
エンドユーザデバイスは、取得された明確なリスク識別結果をエンドユーザデバイス中のサービス処理ユニットへ送信し、サービス処理リクエストに対して効果的なリスク管理を実行する。
【００６１】
加えて、ステップ１０５をトリガすることができる。
【００６２】
ケース２：ステップ１０２において、リスク識別結果を特定できない。
【００６３】
したがって、ステップ１０４においてエンドユーザデバイスがリスク識別結果を特定できない場合、エンドユーザデバイスは、リスク識別リクエストをクラウドリスク識別デバイスへ送信する。クラウドリスク識別デバイスにより送信されたリスク識別結果をエンドユーザデバイスが受信すると、受信されたリスク識別結果に基づき、サービス処理リクエストに対してリスク管理を実行できる。
【００６４】
具体的には、エンドユーザデバイスは、受信されたリスク識別結果をエンドユーザデバイスの中のサービス処理ユニットへ送信し、サービス処理リクエストに対して効果的なリスク管理を実行する。
【００６５】
本願のこの実施において提供される技術的解決策によると、サービスデータを収集した後、エンドユーザデバイスは、格納されているリスク識別規則又は格納されているリスク識別モデルに基づき、サービスデータを生成するサービス処理リクエストに対してリスク識別を実行し、リスク識別結果を特定できない場合、クラウドリスク識別デバイスをトリガして、サービスデータを生成するサービス処理リクエストに対してリスク識別を実行させる。本願のこの実施において、分散型リスク識別アーキテクチャが提供される。これは、比較的低いリスク管理効率の原因となる、リスク管理サーバが受信したデータを処理するのに比較的長時間を要するという従来技術の問題を効果的に緩和し；このタイプの多層リスク識別を通じてリスク管理サーバの操作負荷を軽減し；システムリソースのオーバーヘッドを抑え；更にまた、エンドユーザデバイス上でのリスク識別を完了（コンプリート）することで、リスク識別の時間を短縮し、ユーザエクスペリエンスを向上させる。
【００６６】
実施２
【００６７】
図２は、同じ発明概念に基づく本願の実施に係るリスク識別方法を示す概略フローチャートである。本願のこの実施は、クラウドリスク識別デバイスにより実行できる。
【００６８】
ステップ２０１：クラウドリスク識別デバイスが、エンドユーザデバイスにより送信されるリスク識別リクエストを受信する。ここで、リスク識別リクエストはサービスデータを含む。
【００６９】
本願のこの実施において、エンドユーザデバイスにより送信され、クラウドリスク識別デバイスにより受信されるリスク識別リクエストは、エンドユーザデバイスがリスク識別結果を特定できない場合に送信される。
【００７０】
ステップ２０２：クラウドリスク識別デバイスが、サービスデータを参照して、格納されているリスク識別規則又は格納されているリスク識別モデルに基づき、サービスデータを生成するサービス処理リクエストに対してリスク識別を実行する。
【００７１】
クラウドリスク識別デバイスに格納されているリスク識別規則と、エンドユーザデバイスに格納されているリスク識別規則との間には違いがある。
【００７２】
本願のこの実施において、クラウドリスク識別デバイスは、複雑なリスク挙動のリスク識別をサポートできるので、エンドユーザデバイスがリスク挙動を識別できない場合、エンドユーザデバイスにより送信されて受信したリスク識別リクエストについて、リスク識別リクエストに含まれるサービスデータを抽出し、サービスデータを分析し、更に、分析結果を参照して、格納されているリスク識別規則又は格納されているリスク識別モデルに基づき、サービスデータを生成するサービス処理リクエストに対してリスク識別を実行する。
【００７３】
ステップ２０３：エンドユーザデバイスがリスク識別結果に基づきサービス処理リクエストに対してリスク管理を実行するように、クラウドリスク識別デバイスが、リスク識別結果を、エンドユーザデバイスへ送信する。
【００７４】
オプションではあるが、本願のこの実施において、エンドユーザデバイスがリスク識別結果を特定できたと仮定する。本願のこの実施に記載されるクラウドリスク識別デバイスは、エンドユーザデバイスにより送信されるリスク識別結果を受信し、リスク識別結果を格納し、リスク識別結果のサービスデータを取得できる。そのため、クラウドリスク識別デバイスは、その後、格納されているリスク識別結果とサービスデータとをトレーニング（学習、訓練）サンプルとして用いてリスク識別規則を最適化するとともに、リスク識別精度を向上させることができる。
【００７５】
本願のこの実施に記載されるリスク識別解決策を用いることにより、エンドユーザデバイスがサービス処理リクエストのリスク識別結果を特定できない場合、クラウドリスク識別デバイスは、受信されたサービスデータと、格納されているリスク識別規則又は格納されているリスク識別モデルとに基づきサービス処理リクエストに対してリスク識別を実行する。そのため、本発明のこの実施において提供されるリスク識別解決策においては、「エンド＋クラウド」モードを用いてクラウドリスク識別デバイスのデータ計算負荷を軽減する。加えて、クラウドリスク識別デバイスは、強力なコンピューティング能力を用いて複雑なリスク挙動に対してリスク識別を実行することにより、リスク識別精度を確保できる。
【００７６】
実施３
【００７７】
図３は、同じ発明概念に基づく本願の実施に係るリスク識別方法を示す概略フローチャートである。
【００７８】
ステップ３０１：エンドユーザデバイスとクラウドリスク識別デバイスとが、インテリジェントプラットフォームデバイスからリスク識別ポリシーデータパケットを取得する。
【００７９】
本願のこの実施において、インテリジェントプラットフォームデバイスは、格納されているリスク識別ポリシーデータパケットをリアルタイムに又は定期的に更新し、プッシュすること（Ｐｕｓｈ）又はプルすること（Ｐｕｌｌ）を通じて、リスク識別ポリシーデータパケットを、エンドユーザデバイスとクラウドリスク識別デバイスとへ伝送する。そのため、エンドユーザデバイスとクラウドリスク識別デバイスとが、ローカルに格納されているリスク識別ポリシーデータパケットを同期更新する。
【００８０】
ステップ３０２：エンドユーザデバイスは、ユーザにより送信されるサービス処理リクエストを受信し、サービス処理リクエストの実行工程において生成されたサービスデータを収集する。
【００８１】
ステップ３０３：エンドユーザデバイスが、サービスデータを参照して、格納されているリスク識別規則又は格納されているリスク識別モデルに基づき、サービス処理リクエストに対してリスク識別を実行する。
【００８２】
ステップ３０４：エンドユーザデバイスが、リスク識別結果を取得できるかどうかを特定し、肯定（Ｙｅｓ）である場合はステップ３０５を実行し、否定（Ｎｏ）である場合はステップ３０７を実行する。
【００８３】
ステップ３０５：エンドユーザデバイスが、リスク識別結果とサービスデータとをクラウドリスク識別デバイスへ送信する。
【００８４】
ステップ３０６：エンドユーザデバイスが、リスク識別結果に基づき、サービス処理リクエストに対してリスク管理を実行する。
【００８５】
ステップ３０７：エンドユーザデバイスが、リスク識別リクエストをクラウドリスク識別デバイスへ送信する。ここで、リスク識別リクエストはサービスデータを含む。
【００８６】
ステップ３０８：クラウドリスク識別デバイスが、リスク識別リクエストを受信し、格納されているリスク識別ポリシーデータパケットとサービスデータとに基づき、サービスデータを生成するサービス処理リクエストに対してリスク識別を実行する。
【００８７】
ステップ３０９：クラウドリスク識別デバイスが、取得したリスク識別結果をエンドユーザデバイスへ送信し、ステップ３０６にジャンプする。
【００８８】
図４は、本願のこの実施に係るリスク識別方法のシナリオを示す概略図である。
【００８９】
図４から分かることは、サービスデータを収集した後、エンドユーザデバイスは、格納されているリスク識別規則又は格納されているリスク識別モデルに基づき、サービスデータを生成するサービス処理リクエストに対してリスク識別を実行し、リスク識別結果を特定できない場合、クラウドリスク識別デバイスをトリガして、サービスデータを生成するサービス処理リクエストに対してリスク識別を実行させる。本願のこの実施において、分散型リスク識別アーキテクチャが提供される。これは、比較的低いリスク管理効率の原因となる、リスク管理サーバが受信したデータを処理するのに比較的長時間を要するという従来技術の問題を効果的に緩和し；このタイプの多層リスク識別を通じてリスク管理サーバの操作負荷を軽減し；システムリソースのオーバーヘッドを抑え；更にまた、エンドユーザデバイス上でのリスク識別を完了することで、リスク識別の時間を短縮し、ユーザエクスペリエンスを向上させる。
【００９０】
実施４
【００９１】
図５は、本願の実施に係る、エンドユーザデバイスに適用されるリスク識別装置を示す概略構造図である。リスク識別装置は、収集ユニット５１と、リスク識別ユニット５２と、送信ユニット５３とを含む。
【００９２】
収集ユニット５１は、サービスデータを収集するよう構成される。ここで、サービスデータは、サービス処理リクエストに基づき生成される。
【００９３】
リスク識別ユニット５２は、サービスデータを参照して、格納されているリスク識別規則又は格納されているリスク識別モデルに基づき、サービス処理リクエストに対してリスク識別を実行するよう構成される。
【００９４】
送信ユニット５３は、リスク識別結果を特定できない場合に、サービスデータを含むリスク識別リクエストをクラウドリスク識別デバイスへ送信するよう構成される。ここで、リスク識別リクエストは、サービスデータを生成するサービス処理リクエストに対してリスク識別を実行するようクラウドリスク識別デバイスに要求するために用いられる。
【００９５】
本願の別の実施において、リスク識別装置は管理ユニット５４を更に含む。
【００９６】
管理ユニット５４は、リスク識別ユニットにより特定されたリスク識別結果に基づき、サービス処理リクエストに対してリスク管理を実行する。
【００９７】
本願の別の実施において、リスク識別装置は同期ユニット５５を更に含む。
【００９８】
同期ユニット５５は、リスク識別ユニットがリスク識別結果を特定できる場合に、特定されたリスク識別結果とサービスデータとをクラウドリスク識別デバイスに同期させるよう構成される。
【００９９】
本願の別の実施において、管理ユニット５４は、特定されたリスク識別結果に基づき、サービス処理リクエストに対してリスク管理を実行し、このリスク管理は：クラウドリスク識別デバイスにより送信されるリスク識別結果を受信するステップと；受信されたリスク識別結果に基づきサービス処理リクエストに対してリスク管理を実行するステップと；を含む。
【０１００】
本願の別の実施において、リスク識別ユニット５２は、サービスデータを参照して、格納されているリスク識別規則又は格納されているリスク識別モデルに基づき、サービス処理リクエストに対してリスク識別を実行し、このリスク識別は：サービスデータを分析するステップと；分析結果を参照して、格納されているリスク識別規則又は格納されているリスク識別モデルに基づき、サービス処理リクエストに対してリスク識別を実行するステップと；を含む。
【０１０１】
本願のこの実施において提供されるリスク識別装置は、ハードウェア又はソフトウェアを用いることにより実施できることは特に留意すべき事項である。実施はこれに限定されない。リスク識別装置は、エンドユーザデバイスに搭載できる。サービスデータを収集した後、エンドユーザデバイスは、格納されているリスク識別規則又は格納されているリスク識別モデルに基づき、サービスデータを生成するサービス処理リクエストに対してリスク識別を実行し、リスク識別結果を特定できない場合に、クラウドリスク識別デバイスをトリガして、サービスデータを生成するサービス処理リクエストに対してリスク識別を実行させる。提供される分散型リスク識別アーキテクチャによると、これは、比較的低いリスク管理効率の原因となる、リスク管理サーバが受信データの処理に比較的長時間を要するという従来技術の問題を効果的に緩和し；このタイプの多層リスク識別を通じてリスク管理サーバの操作負荷を軽減し；システムリソースのオーバーヘッドを抑え；更にまた、エンドユーザデバイス上でのリスク識別を完了することで、リスク識別の時間を短縮し、ユーザエクスペリエンスを向上させる。
【０１０２】
図６は、本願の実施に係る、エンドユーザデバイスに適用されるリスク識別装置を示す概略構造図である。図５に記載する機能が、リスク識別装置のリスク管理モジュール６１に組み入れられていると仮定する。リスク管理モジュール６１に加えて、図６に示すリスク識別装置は、セキュリティモジュール６２と、データモジュール６３と、通信モジュール６４とを含む。
【０１０３】
データモジュール６３は、デバイスデータ、環境データ、挙動データ、取引データ等を収集でき、ソケットデータ、サービス呼び出し情報等を収集でき、異常な環境、例えば、シミュレータ識別の実行を識別でき、データの安全な格納及び照会を実行でき、算術演算、論理演算、及びＶｅｌｏｃｉｔｙ（速度）計算などのデータ処理及びデータ操作を実行できる。
【０１０４】
リスク管理モジュール６１は、エンドユーザデバイス上の規則エンジンとモデルエンジンとをサポートし、規則エンジンとモデルエンジンとに基づきサービス処理リクエストに対応する収集されたサービスデータを分析し、計算し、更に、サービス処理リクエストに対してリスク識別を実行する。
【０１０５】
セキュリティモジュール６２は、抗クラッキング、抗インジェクション攻撃、及び抗アジャストメントをサポートし、エンドユーザデバイス上に配備されるアルゴリズム、変数、規則、モデルなどに対して仮想安全環境（Ｖｉｒｔｕａｌ  Ｓｅｃｕｒｅ  Ｅｎｖｉｒｏｎｍｅｎｔ）を提供できる。
【０１０６】
通信モジュール６４は、サーバからエンドへプッシュされるデータ、アルゴリズム、規則、モデル等を受信でき、「クラウド」リスク管理サービスの同期呼び出しをサポートし、「クラウド」リスク管理サービスの非同期呼び出しをサポートし、例えば、状態モニタリングを実行する他の形式のサーバと通信することができる。
【０１０７】
例えば、リスク識別リクエストがクラウドリスク識別デバイスへ送信され、クラウドリスク識別デバイスにより送信されるリスク識別結果が受信される。
【０１０８】
本願のこの実施に記載されるエンドユーザデバイスは、エッジエンドリスク管理デバイスと呼ぶこともでき、モバイルデバイスに搭載されるリスク管理システムとすることができ、Ａｎｄｒｏｉｄ（登録商標）及びＩＳＯオペレーティングプラットフォームをサポートし、クライアントデバイスに配備できる。そのため、エンドユーザデバイスは、「データが収集されたら直ちにサービスデータを使用する」ことができ、サービスデータに対応するサービス処理リクエストに対して、遅れることなくリスク識別を実行し、バックグラウンドサーバへデータを伝送することによって生じるリスク識別の遅延を効果的に軽減し、バックグラウンドサーバのリソース消費を抑え、リスク識別システム全体の操作効率を向上させることができる。
【０１０９】
実施５
【０１１０】
図７は、本願の実施に係る、クラウドリスク識別装置を示す概略構造図である。クラウドリスク識別装置は、受信ユニット７１と、リスク識別ユニット７２とを含む。
【０１１１】
受信ユニット７１は、エンドユーザデバイスにより送信されるリスク識別リクエストを受信するよう構成される。ここで、リスク識別リクエストはサービスデータを含む。
【０１１２】
リスク識別ユニット７２は、サービスデータを参照して、格納されているリスク識別規則又は格納されているリスク識別モデルに基づき、サービスデータを生成するサービス処理リクエストに対してリスク識別を実行するよう構成される。
【０１１３】
本願の別の実施において、クラウドリスク識別装置は、送信ユニット７３を更に含む。
【０１１４】
送信ユニット７３は、エンドユーザデバイスがリスク識別結果に基づきサービス処理リクエストに対してリスク管理を実行するように、リスク識別結果をエンドユーザデバイスへ送信するよう構成される。
【０１１５】
本願の別の実施において、リスク識別ユニット７２は、サービスデータを参照して、格納されているリスク識別規則又は格納されているリスク識別モデルに基づき、サービスデータを生成するサービス処理リクエストに対してリスク識別を実行し、このリスク識別は：サービスデータを分析することと；分析結果を参照して、格納されているリスク識別規則又は格納されているリスク識別モデルに基づき、サービスデータを生成するサービス処理リクエストに対してリスク識別を実行することと；を含む。
【０１１６】
本願の別の実施において、クラウドリスク識別デバイスに格納されているリスク識別規則と、エンドユーザデバイスに格納されているリスク識別規則との間には、違いがある。
【０１１７】
本願のこの実施において提供されるクラウドリスク識別装置は、ハードウェア又はソフトウェアを用いることにより実施できることは特に留意すべき事項である。実施はこれに限定されない。エンドユーザデバイスがサービス処理リクエストのリスク識別結果を特定することができない場合に、本願のこの実施に記載されるクラウドリスク識別装置が、受信されたサービスデータと、格納されているリスク識別規則又は格納されているリスク識別モデルとに基づきサービス処理リクエストに対してリスク識別を実行する。そのため、本発明のこの実施において提供されるリスク識別解決策において、「エンド＋クラウド」を用いてクラウドリスク識別デバイスのデータ計算負荷を軽減する。加えて、クラウドリスク識別デバイスは、強力なコンピューティング能力を用いて複雑なリスク挙動に対してリスク識別を実行することにより、リスク識別精度を確保することができる。
【０１１８】
図８は、同じ発明概念に基づく本願の実施に係るクラウドリスク識別装置を示す概略構造図である。図７に記載する機能が、クラウドリスク識別デバイスのリスク管理モジュール８１に組み入れられていると仮定する。リスク管理モジュール８１に加えて、図８に示すクラウドリスク識別装置は、データモジュール８２と、通信モジュール８３とを含む。
【０１１９】
リスク管理モジュール８１は、バックグラウンドサーバ上の規則エンジンとモデルエンジンとをサポートし、格納されているリスク識別規則と、受信されたリスク識別リクエストに含まれるサービスデータとに基づき、サービスデータを生成するサービス処理リクエストに対してリスク識別を実行する。
【０１２０】
データモジュール８２は、様々なタイプのデータを受信し、様々なタイプのデータを格納及び照会し、データ処理及びデータ操作を実行できる。
【０１２１】
通信モジュール８３は、エンドユーザデバイスにより送信されるデータ（サービスデータ、リクエストメッセージ等を含む）を受信し、インテリジェントプラットフォームデバイスにより送信されるリスク識別ポリシーデータパケット、リスク識別規則、リスク識別モデル等を受信し、通信モジュールとエンドユーザデバイスとの間の同期又は非同期データ呼び出しをサポートする。
【０１２２】
本願のこの実施に記載されるクラウドリスク識別装置は、サーバベースのリスク管理システムとすることができ、ＲＥＳＴｆｕｌ及びＳＯＡＰのウェブサービスインターフェースを提供する。この装置は、強力なコンピューティング能力、大容量格納スペース、及び比較的高いセキュリティを有する。
【０１２３】
実施６
【０１２４】
図９は、本願の実施に係る、リスク識別システムを示す概略構造図である。リスク識別システムは、エンドユーザデバイス９１と、クラウドリスク識別デバイス９２とを含む。
【０１２５】
エンドユーザデバイス９１は、サービスデータを収集する。ここで、サービスデータは、サービス処理リクエストに基づき生成され；サービスデータを参照して、格納されているリスク識別規則又は格納されているリスク識別モデルに基づき、サービス処理リクエストに対してリスク識別を実行し；リスク識別結果を特定できない場合に、サービスデータを含むリスク識別リクエストをクラウドリスク識別デバイスへ送信する。
【０１２６】
クラウドリスク識別デバイス９２は、エンドユーザデバイスにより送信されるリスク識別リクエストを受信し、サービスデータを参照して、格納されているリスク識別規則又は格納されているリスク識別モデルに基づき、サービスデータを生成するサービス処理リクエストに対してリスク識別を実行する。
【０１２７】
本願の別の実施において、リスク識別システムは、インテリジェントプラットフォームデバイス９３を更に含む。
【０１２８】
インテリジェントプラットフォームデバイス９３は、エンドユーザデバイスの稼働状態及びクラウドリスク識別デバイスの稼働状態をモニタし、リスク識別規則又はリスク識別モデルをエンドユーザデバイスとクラウドリスク識別デバイスに別々にプッシュする。
【０１２９】
本願のこの実施におけるエンドユーザデバイスとクラウドリスク管理デバイスとは、前述の実施に記載した機能を有し、簡素化のためにここでは詳細を省略する。
【０１３０】
図１０は、本願の実施に係る、インテリジェントプラットフォームデバイスを示す概略構造図である。本願のこの実施におけるリスク識別システムに含まれるインテリジェントプラットフォームデバイスは、設定モジュール１００１と、モニタリングモジュール１００２と、通信モジュール１００３とを含むことができる。
【０１３１】
設定モジュール１００１は、様々な変数、規則、モデルなどを設定する。
【０１３２】
モニタリングモジュール１００２は、エンドユーザデバイスの稼働状態とクラウドリスク識別デバイスの稼働状態とをモニタすることができる。
【０１３３】
通信モジュール１００３は、リスク識別規則をエンドユーザデバイスとクラウドリスク識別デバイスに別々にプッシュすることができる。
【０１３４】
本願のこの実施に記載されるインテリジェントプラットフォームデバイスは、統合された開発及び維持機能を有するサービスプラットフォームとすることができ、本願のこの実施に記載されるリスク識別システムにより用いられるリスク識別ポリシーを動的に更新するため、変数、規則、モデル等を、開発及び維持するために使用できる。
【０１３５】
本願の実施において提供されるリスク識別解決策の有益な効果は以下の通りである。
【０１３６】
１．「エンド＋クラウド」のリスク管理解決策において、エンドユーザデバイスは、大量のデータをバックグラウンドサーバへ伝送することなく「データを収集すると直ちにサービスデータを使用する」ことができ、ネットワークオーバーヘッドが抑えられ、バックグラウンドサーバリソースが節約される。加えて、キーデータ及び複雑なリスク挙動に関連するデータは、本願のこの実施におけるバックグラウンドサーバへ送信される。「クラウド」のバックグラウンドにおける強力なコンピューティングリソースが大量の計算を必要とするリスク識別リクエストの処理に用いられることで、リスク管理識別精度が確保される。
【０１３７】
２．「エンド」にて多数のサービス（例えば、ほとんどの通常の取引、及び、とりわけ明らかな問題取引）に対してリスク識別を容易に実行できるため、リスク管理識別のこの部分の期間中はネットワーク遅延及びバックグラウンド処理時間がもはや生じることはなく、ユーザエクスペリエンスを向上させることができる。加えて、バックグラウンドサービスの停滞が緩和される。
【０１３８】
３．リスク管理計算タスクの一部がフロント「エンド」にて行われるため、「クラウド」バックグラウンドの計算負荷が軽減され、バックグラウンドコストが削減される。加えて、「エンド」のリスク管理が導入されるため、一部のリスク管理リクエストはもはや集中型バックグラウンドに依存しない。したがって、この分散デザインは、リスク管理サービスの利用可能性及び耐障害性（フォールトトレランス）を向上させる。
【０１３９】
当業者は、本願の実施が方法、システム、又はコンピュータプログラム製品として提供できることを理解するはずである。そのため、本願は、ハードウェアのみの実施、ソフトウェアのみの実施、又は、ソフトウェアとハードウェアとの組み合わせによる実施を用いることができる。さらに、本願は、コンピュータで使用可能なプログラムコードを含んだ１台以上のコンピュータで使用可能な記憶媒体（ディスクメモリ、ＣＤ−ＲＯＭ、光学メモリ等を含むがこれに限定されない）上で実施されるコンピュータプログラム製品を使用できる。
【０１４０】
本願は、本願の実施に係る方法、デバイス（システム）、コンピュータプログラム製品のフローチャート及び／又はブロック図を参照して説明されている。フローチャート及び／又はブロック図内の各プロセス及び／又は各ブロック、並びにフローチャート及び／又はブロック図内のプロセス及び／又はブロックの組み合わせを実施するために、コンピュータプログラム命令を使用することができることを理解すべきである。これらのコンピュータプログラム命令は、汎用コンピュータ、特別な目的のコンピュータ、ビルトインプロセッサ、又はあらゆるその他のプログラマブルデータ処理デバイスに、マシンを生成するために提供されることができ、これにより、コンピュータ、又は、あらゆるその他のプログラマブルデータ処理デバイスのプロセッサが、フローチャートの１つ以上のフローにおける、及び／又は、ブロック図の１つ以上のブロックにおける、特定の機能を実施する装置を生成できるようになる。
【０１４１】
これらのコンピュータプログラム命令を、コンピュータ又はあらゆるその他のプログラマブルデータ処理デバイスに特定の方法で機能するように命令することができるコンピュータ読取可能なメモリに記憶して、これらのコンピュータ読取可能なメモリに記憶された命令が、命令装置を含む製品を作り出すようにすることができる。この命令装置は、フローチャート内の１つ以上の工程における、及び／又はブロック図内の１つ以上のブロックにおける特定の機能を実施する。
【０１４２】
これらのコンピュータプログラム命令はコンピュータ又はその他のプログラマブルデータ処理デバイスにロードすることができる。このように、コンピュータ又はその他のプログラマブルデバイス上で一連の操作及びステップが実行されるようにし、コンピュータで実施される処理を生成することができる。したがって、コンピュータ又はその他のプログラマブルデバイス上で実行される命令が、フローチャート内の１つ以上のフロー及び／又はブロック図内の１つ以上のブロックにおける特定の機能を実施するステップを提供することを可能とする。
【０１４３】
典型的な構成では、コンピューティングデバイスは１つ以上のプロセッサ（ＣＰＵ）、入出力インターフェース、ネットワークインターフェース、及びメモリを含む。
【０１４４】
メモリは、揮発性メモリ、ランダムアクセスメモリ（ＲＡＭ）、不揮発性メモリ、及び／又はリードオンリーメモリ（ＲＯＭ）やフラッシュメモリ（ｆｌａｓｈ  ＲＡＭ）のような他の形式のコンピュータ読取可能な媒体を含んでよい。メモリはコンピュータ読取可能な媒体の一例である。
【０１４５】
コンピュータ読取可能な媒体には、任意の方法又は技術を用いて情報を記憶できる、永続的、非永続的、移動可能な、移動不能な媒体が含まれる。この情報はコンピュータ読取可能な命令、データ構造、プログラムモジュール、又はその他のデータであってよい。コンピュータの記憶媒体の例として、計算デバイスによってアクセスできる情報を記憶するために用いることが可能な、相変化ランダムアクセスメモリ（ＰＲＡＭ）、スタティックランダムアクセスメモリ（ＳＲＡＭ）、ダイナミックランダムアクセスメモリ（ＤＲＡＭ）、別タイプのランダムアクセスメモリ、リードオンリーメモリ（ＲＯＭ）、電気的に消去可能でプログラム可能なＲＯＭ（ＥＥＰＲＯＭ）、フラッシュメモリ、又は別のメモリ技術、コンパクトディスクＲＯＭ（ＣＤ−ＲＯＭ）、デジタル多用途ディスク（ＤＶＤ）、又は別の光学記憶装置、カセット磁気テープ、テープ、ディスク媒体、他の磁気的記憶装置又はコンピュータ装置によってアクセスすることができる情報を格納するように構成することができる他の任意の非伝送媒体を含むが、これに限定されない。本願の定義に基づき、コンピュータ読取可能な媒体は、一時的な媒体、例えば変調されたデータ信号及び搬送波を含まない。
【０１４６】
さらに、用語「含む」、「含有する」、又はこれらのその他任意の応用形は、非限定的な包含を網羅するものである。そのため、一連の要素を含んだ工程、方法、製品、デバイスはこれらの要素を含むだけでなく、ここで明確に挙げていないその他の要素をも含む、あるいは、このような工程、方法、製品、デバイスに固有の要素をさらに含むことができる点に留意することが重要である。「（１つの）〜を含む」との用語を付けて示された要素は、それ以上の制約がなければ、その要素を含んだ工程、方法、製品、デバイス内に別の同一の要素をさらに含むことを排除しない。
【０１４７】
当業者は、本願の実施が方法、システム、又はコンピュータプログラム製品として提供できることを理解するはずである。そのため、本願は、ハードウェアのみの実施、ソフトウェアのみの実施、又は、ソフトウェアとハードウェアとの組み合わせによる実施を用いることができる。さらに、本願は、コンピュータで使用可能なプログラムコードを含んだ１台以上のコンピュータで使用可能な記憶媒体（ディスクメモリ、ＣＤ−ＲＯＭ、光学メモリ等を含むがこれに限定されない）上で実施されるコンピュータプログラム製品を使用できる。
【０１４８】
上述のものは本願の一実施の形態に過ぎず、本願を限定することを意図していない。当業者は、本願に様々な修正及び変更を加えることができる。本願の精神及び原理から逸脱せずに為されるあらゆる修正、均等物による置換、改良等は、本願の特許請求の範囲に含まれるものである。
【符号の説明】
【０１４９】
５１  収集ユニット
５２、７２  リスク識別ユニット
５３、７３  送信ユニット
５４  管理ユニット
５５  同期ユニット
６１、８１  リスク管理モジュール
６２  セキュリティモジュール
６３、８２  データモジュール
６４、８３  通信モジュール
７１  受信ユニット
９１  エンドユーザデバイス
９２  クラウドリスク識別デバイス
９３  インテリジェントプラットフォームデバイス
１００１  設定モジュール
１００２  モニタリングモジュール
１００３  通信モジュール
【図１】
2019523501.tif 000003
【図２】
2019523501.tif 000004
【図３】
2019523501.tif 000005
【図４】
2019523501.tif 000006
【図５】
2019523501.tif 000007
【図６】
2019523501.tif 000008
【図７】
2019523501.tif 000009
【図８】
2019523501.tif 000010
【図９】
2019523501.tif 000011
【図１０】
2019523501.tif 000012
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
リスク識別のための方法であって：
サービス処理リクエストを受信するステップ（１０１、２０２）と；
前記サービス処理リクエストからサービスデータを抽出するステップ（１０１）と；
リスク識別結果を生成するために、前記サービスデータを参照して、格納されているリスク識別規則又は格納されているリスク識別モデルに基づき、前記サービス処理リクエストに対してリスク識別を実行するステップ（１０２）と；
前記リスク識別結果が、明確な結果であるか、あるいは前記リスク識別結果を特定できないことを示す不明確な結果であるかを特定するステップ（１０３）と；
前記リスク識別結果が前記不明確な結果であると特定したことに応答して、前記サービスデータを備えるリスク識別リクエストを、クラウドリスク識別デバイスへ送信するステップであって、前記リスク識別リクエストは、前記サービス処理リクエストに対してリスク識別を実行するよう前記クラウドリスク識別デバイスに要求するために用いられる、ステップ（１０４）と；を備える、
リスク識別のための方法。
【請求項２】
前記リスク識別結果を特定できる場合に、特定されたリスク識別結果と前記サービスデータとを、前記クラウドリスク識別デバイスに同期させるステップ（１０５）を更に備える、
請求項１に記載の方法。
【請求項３】
前記クラウドリスク識別デバイスにより送信されるリスク識別結果を受信するステップ（２０３）と；
前記受信されたリスク識別結果に基づき前記サービス処理リクエストに対してリスク管理を実行するステップ（１０６）と；を更に備える、
請求項１に記載の方法。
【請求項４】
前記サービスデータを参照して、格納されているリスク識別規則又は格納されているリスク識別モデルに基づき、前記サービス処理リクエストに対してリスク識別を実行するステップは：
前記サービスデータを分析するステップと；
前記格納されているリスク識別規則と分析結果とに基づき、前記サービス処理リクエストに対してリスク識別を実行するステップと；を備える、
請求項１乃至請求項３のいずれか１項に記載の方法。
【請求項５】
前記サービス処理リクエストの前記リスク識別は、前記サービスデータを参照して、格納されているリスク識別規則又は格納されているリスク識別モデルに基づき、実行される（２０２）、
請求項１乃至請求項３のいずれか１項に記載の方法。
【請求項６】
格納されている前記リスク識別結果及び前記リスク識別モデルを、トレーニングサインプルとして使用する、
請求項５に記載の方法。
【請求項７】
前記クラウドリスク識別デバイスと同期して、ローカルに格納されたリスク識別ポリシーデータパケットを更新するステップを更に備える、
請求項１乃至請求項６のいずれか１項に記載の方法。
【請求項８】
収集された前記サービスデータに基づき、前記サービスデータに対応するサービス指標を特定するステップを更に備える、
請求項１乃至請求項７のいずれか１項に記載の方法。
【請求項９】
前記サービス指標は、所定の時間ウィンドウにおけるサービスデータのカウント値、総計値、開始値、終了値、差分値、平均値、標準偏差、最大値、及び／又は最小値を備える、
請求項８に記載の方法。
【請求項１０】
前記サービス処理リクエストの発生頻度の特性を分析するステップを更に備える、
請求項１乃至請求項９のいずれか１項に記載の方法。
【請求項１１】
エンドユーザ装置に適用されるリスク識別装置であって、請求項１乃至請求項１０のいずれか１項に記載の方法を実行するように構成された複数のモジュールを備える、
リスク識別装置。
【手続補正２】
【補正対象書類名】明細書
【補正対象項目名】０１４８
【補正方法】変更
【補正の内容】
【０１４８】
上述のものは本願の一実施の形態に過ぎず、本願を限定することを意図していない。当業者は、本願に様々な修正及び変更を加えることができる。本願の精神及び原理から逸脱せずに為されるあらゆる修正、均等物による置換、改良等は、本願の特許請求の範囲に含まれるものである。
以下、本発明の実施の態様の例を列挙する。
［第１の局面］
リスク識別方法であって、エンドユーザデバイスに適用され：
サービスデータを収集するステップであって、前記サービスデータはサービス処理リクエストに基づき生成される、ステップと；
前記サービスデータを参照して、格納されているリスク識別規則又は格納されているリスク識別モデルに基づき、前記サービス処理リクエストに対してリスク識別を実行するステップと；
リスク識別結果を特定できない場合に、前記サービスデータを備えるリスク識別リクエストを、クラウドリスク識別デバイスへ送信するステップであって、前記リスク識別リクエストは、前記サービス処理リクエストに対してリスク識別を実行するよう前記クラウドリスク識別デバイスに要求するために用いられる、ステップと；を備える、
リスク識別方法。
［第２の局面］
前記リスク識別結果を特定できる場合に、特定されたリスク識別結果と前記サービスデータとを、前記クラウドリスク識別デバイスに同期させるステップを更に備える、
第１の局面に記載のリスク識別方法。
［第３の局面］
前記クラウドリスク識別デバイスにより送信されるリスク識別結果を受信するステップと；
前記受信されたリスク識別結果に基づき前記サービス処理リクエストに対してリスク管理を実行するステップと；を更に備える、
第１の局面に記載のリスク識別方法。
［第４の局面］
前記サービスデータを参照して、格納されているリスク識別規則又は格納されているリスク識別モデルに基づき、前記サービス処理リクエストに対してリスク識別を実行する前記ステップは：
前記サービスデータを分析するステップと；
前記格納されているリスク識別規則と分析結果とに基づき、前記サービス処理リクエストに対してリスク識別を実行するステップと；を備える、
第１乃至３の局面のいずれかに記載のリスク識別方法。
［第５の局面］
リスク識別方法であって、クラウドリスク識別デバイスに格納されているリスク識別規則は、エンドユーザデバイスに格納されているリスク識別規則とは異なり：
前記エンドユーザデバイスにより送信されるリスク識別リクエストを、前記クラウドリスク識別デバイスにより受信するステップであって、前記リスク識別リクエストはサービスデータを備える、ステップと；
前記サービスデータを参照して、格納されているリスク識別規則又は格納されているリスク識別モデルに基づき前記サービスデータを生成するサービス処理リクエストに対して、リスク識別を、前記クラウドリスク識別デバイスにより実行するステップと；を備える、
リスク識別方法。
［第６の局面］
前記エンドユーザデバイスが前記リスク識別結果に基づき前記サービス処理リクエストに対してリスク管理を実行するように、リスク識別結果を、前記クラウドリスク識別デバイスにより前記エンドユーザデバイスへ送信するステップを更に備える、
第５の局面に記載のリスク識別方法。
［第７の局面］
前記サービスデータを参照して、格納されているリスク識別規則又は格納されているリスク識別モデルに基づき前記サービスデータを生成するサービス処理リクエストに対して、リスク識別を、前記クラウドリスク識別デバイスにより実行する前記ステップは：
前記サービスデータを、前記クラウドリスク識別デバイスにより分析するステップと；
分析結果を参照して、前記格納されているリスク識別規則又は前記格納されているリスク識別モデルに基づき前記サービスデータを生成する前記サービス処理リクエストに対して、リスク識別を、前記クラウドリスク識別デバイスにより実行するステップと；を備える、
第５又は６の局面に記載のリスク識別方法。
［第８の局面］
エンドユーザデバイスに適用されるリスク識別装置であって：
サービスデータを収集するよう構成された収集ユニットであって、前記サービスデータはサービス処理リクエストに基づき生成される、前記収集ユニットと；
前記サービスデータを参照して、格納されているリスク識別規則又は格納されているリスク識別モデルに基づき、前記サービス処理リクエストに対してリスク識別を実行するよう構成されたリスク識別ユニットと；
リスク識別結果を特定できない場合に、前記サービスデータを備えるリスク識別リクエストをクラウドリスク識別デバイスへ送信するよう構成された送信ユニットであって、前記リスク識別リクエストは、前記サービス処理リクエストに対してリスク識別を実行するよう前記クラウドリスク識別デバイスに要求するために用いられる、前記送信ユニットと；を備える、
リスク識別装置。
［第９の局面］
同期ユニットを更に備え、
前記同期ユニットは、前記リスク識別ユニットが前記リスク識別結果を特定できる場合に、特定されたリスク識別結果と前記サービスデータとを前記クラウドリスク識別デバイスに同期させるよう構成される、
第８の局面に記載のリスク識別装置。
［第１０の局面］
管理ユニットを更に備え、
前記管理ユニットは、前記クラウドリスク識別デバイスにより送信されるリスク識別結果を受信し；
前記受信されたリスク識別結果に基づき前記サービス処理リクエストに対してリスク管理を実行するよう構成される、
第８の局面に記載のリスク識別装置。
［第１１の局面］
前記リスク識別ユニットは、前記サービスデータを参照して、前記格納されているリスク識別規則又は前記格納されているリスク識別モデルに基づき、前記サービス処理リクエストに対してリスク識別を実行し：
前記サービスデータを分析することと；
分析結果を参照して、前記格納されているリスク識別規則又は前記格納されているリスク識別モデルに基づき、前記サービス処理リクエストに対してリスク識別を実行することと；を備える、
第８乃至１０の局面のいずれかに記載のリスク識別装置。
［第１２の局面］
クラウドリスク識別装置であって、クラウドリスク識別装置に格納されているリスク識別規則は、エンドユーザデバイスに格納されているリスク識別規則とは異なり：
前記エンドユーザデバイスにより送信されるリスク識別リクエストを受信するよう構成された受信ユニットであって、前記リスク識別リクエストはサービスデータを備える、前記受信ユニットと；
前記サービスデータを参照して、格納されているリスク識別規則又は格納されているリスク識別モデルに基づき、前記サービスデータを生成するサービス処理リクエストに対してリスク識別を実行するよう構成されたリスク識別ユニットと；を備える、
クラウドリスク識別装置。
［第１３の局面］
送信ユニットを更に備え、
前記送信ユニットは、前記エンドユーザデバイスが前記リスク識別結果に基づき前記サービス処理リクエストに対してリスク管理を実行するように、リスク識別結果を前記エンドユーザデバイスへ送信するよう構成される、
第１２の局面に記載のクラウドリスク識別装置。
［第１４の局面］
前記リスク識別ユニットは、前記サービスデータを参照して、前記格納されているリスク識別規則又は前記格納されているリスク識別モデルに基づき、前記サービスデータを生成する前記サービス処理リクエストに対してリスク識別を実行し：
前記サービスデータを分析することと；
分析結果を参照して、前記格納されているリスク識別規則又は前記格納されているリスク識別モデルに基づき、前記サービスデータを生成する前記サービス処理リクエストに対してリスク識別を実行することと；を備える、
第１２又は１３の局面に記載のクラウドリスク識別装置。
［第１５の局面］
リスク識別システムであって、前記リスク識別システムは、エンドユーザデバイスとクラウドリスク識別デバイスとを備え、
前記エンドユーザデバイスは、サービス処理リクエストに基づき生成されるサービスデータを収集し；前記サービスデータを参照して、格納されているリスク識別規則又は格納されているリスク識別モデルに基づき、前記サービス処理リクエストに対してリスク識別を実行し；リスク識別結果を特定できない場合に、前記サービスデータを備えるリスク識別リクエストを前記クラウドリスク識別デバイスへ送信し；
前記クラウドリスク識別デバイスは、前記エンドユーザデバイスにより送信される前記リスク識別リクエストを受信し、前記サービスデータを参照して、前記格納されているリスク識別規則又は前記格納されているリスク識別モデルに基づき、前記サービスデータを生成する前記サービス処理リクエストに対してリスク識別を実行する、
リスク識別システム。
［第１６の局面］
インテリジェントプラットフォームデバイスを更に備え、
前記インテリジェントプラットフォームデバイスは、前記エンドユーザデバイスの稼働状態及び前記クラウドリスク識別デバイスの稼働状態をモニタし、リスク識別規則を前記エンドユーザデバイスと前記クラウドリスク識別デバイスに別々にプッシュする、
第１５の局面に記載のリスク識別システム。
【国際調査報告】
2019523501.tif 000013
2019523501.tif 000014
2019523501.tif 000015
2019523501.tif 000016